(57)【要約】      （修正有）【課題】折畳み式の軽い携帯用書見台を提供する。【解決手段】書載板２と基板３から構成され、書載板２の中に３辺の切断線を入れ１辺１２で折り曲げ自在にした支持板４を設け、基板３の中央より後方の中に、支持板４の脚部７が入る３箇所の切り欠き部５を設けるとともに、基板３の中の手前に３辺の切断線を入れ１辺１１で折り曲げ自在にした書載台６を設ける。組立て時に支持板４の脚部７を３箇所のうちのいずれかの切り欠き部５を選択してその中に挿入することによって書載板２の傾斜角度を３段階に調節でき、書載板２の下方に引出された書載台６の上に本を載置して、その上で左右に見開いた本のページ部を移動自在のバインダーで留めることを可能とする。【選択図】図６
0003166158.tif 000002
【実用新案登録請求の範囲】
【請求項１】
本考案は、二つに折畳める一枚板（１）をベースにした携帯用の書見台であり、書載板（２）と基板（３）の２枚の板から構成され、書載板（２）の中に３辺の切断線（１４）を入れ１辺（１２）で折り曲げ自在にした支持板（４）を設け、基板（３）の中央より後方の中に、支持板（４）の脚部（７）が入る３箇所の切り欠き部（５）を設けるとともに、基板（３）の中の手前に３辺の切断線（１５）を入れ１辺（１１）で折り曲げ自在にした書載台（６）を設けた折畳式の書見台で、組立て時に支持板（４）の脚部（７）を基板（３）内に設けた３箇所のいずれかの切り欠き部（５）の中に挿入することによって書載板（２）の傾斜角度を３段階に調節できる組立て式書見台。
【請求項２】
本考案は、組み立てた書見台の書載板（２）の下方に引出された書載台（６）の上に本の底（地）を載置して、そこで左右に見開いた本のページ部（８）が閉じられないようにその部分を書載板（２）の適宜な場所に留める用具である移動自在のバインダー (９）を装備した請求項１記載の書見台。
【考案の詳細な説明】
【技術分野】
【０００１】
本考案は、本を読む者が額を俯けにしたりせず、目や肩、首、手に負担のかからない自然で楽な姿勢で読書することを可能にする書見台で、軽くしかも嵩張らず、手軽に図書館や旅先に携行することができる折畳式の書見台に関する。  
【背景技術】
【０００２】
従来の書見台は、立体的であり図書館や旅先へ携行して使うには嵩張ってそれなりの重さの荷物になる。
【０００３】
従来の携帯用書見台は、本の保持や見開きページの固定に安定感を欠くものやその構造が複雑なものが多い。
【０００４】
【特許文献１】特開２００６−１５００１４号公報実開昭６２−０９８５３２号公報実登３０６５６８６号公報
【考案の開示】
【考案が解決しようとする課題】
【０００５】
解決しようとする課題は、従来の書見台は立体的になっており、気軽に図書館や旅先へ持っていけるようになっておらず、仮に携帯用のものでも、その構造が複雑で、本のページ押さえも確実には行えず、本の上に気軽に手を載せて線を引いたり余白にメモを入れたりできない。
【課題を解決するための手段】
【０００６】
本考案の書見台は、携帯時には2つに折り畳める書見台で、本を載せる書載板（２）とそれを支える支持板（４）、その支持板（４）を受け止める基板（３）及び本の底（地）を置く書載台（６）から構成され、併せて、見開いた本のページ部（８）を留める移動自在バインダー（９）を装備する。
【０００７】
図１に示すごとく、平面に置いた縦長方形の一枚板（１）をそのほぼ中央の中央折り曲げ部（１０）で半分に折り上げて書載板（２）とし、一枚板（１）の残りの半分を基板（３）とする。
【０００８】
書載板（２）の中の支持板（４）を後方へ押し曲げ、その脚部（７）を基板（３）内に切り欠けられた３つの切り欠き部（５）のいずれかの切り欠き部（５）に挿入し固定できるようにする。
【０００９】
基板（３）の中の書載台（６）を手前に折畳めるようにする。
【００１０】
書載板（２）内の支持板（４）の脚部（７）を基板（３）内のいずれかの切り欠き部（５）に挿入して書載板（２）の傾斜角度を３段階に調節できるようにする。
【００１１】
本考案の書見台は、折畳み式の携帯用となっている。
【００１２】
本考案の書見台は、組み立てられた書見台の書載板（２）の下方部に引出された書載台（６）の上に本の底（地）を載置し、そこで左右に見開いた本のページ部（８）を書載板（２）の適宜な場所で固定するための用具である移動自在バインダー（９）を装備する。
【考案の効果】
【００１３】
本考案の書見台は、強化ダンボール紙や軽量強化プラスチックなどの軽くて強度のある素材でできており、折畳み式となっているので気軽に鞄の中に折畳んで収納して、図書館や旅先へ持って行って使える。
【００１４】
本考案の書見台では見開いたページが閉じられないように留める移動自在バインダー（９）を使うので、両手を自由にして読書できる。
【００１５】
書載板（２）内の支持板（４）の脚部（７）を基板（３）内のいずれかの切り欠き部（５）に挿入して書載板（２）の傾斜角度を３段階に調節できる。
【考案を実施するための最良の形態】
【００１６】
図１は一枚板（１）の平面図、図２はその底面図であり、図３はその右側面図である。
【００１７】
図１の一枚板（１）をそのほぼ中央の中央折り曲げ部（１０）で上へ折り曲げ自在の構造にして、上半分を基板（３）とし、下半分を書載板（２）とする。
【００１８】
図１の基板（３）内の折り曲げ部（１１）で手前へ折り曲げ自在の構造にして、手前に折り曲げて書載台（６）とする。
【００１９】
図１の書載板（２）内の折り曲げ部（１２）を手前に折り上げて支持板（４）とする。
【００２０】
図４は、一枚板（１）を上へ折畳んだ右側面図であり、図５はその斜視図である。
【００２１】
００１８から００１９に記載の手順で折り曲げたり折り上げて、支持板（４）の脚部（７）を基板（３）内の切り欠き部（５）のいずれかに挿入することとし、以下の図はいずれも組立て後の書見台の図で、図６は斜視図、図７は正面図、図８は右側面図、図９は背面図である。
【実施例１】
【００２２】図１０は、本考案書見台に文庫本を載せたときの斜視図で、書載板（２）の下方部に引出された書載台(６)の上に文庫本を載せ、そこで左右に見開いた本のページ部（８）が閉じられないように押さえるための用具である移動自在バインダー（９）を使って見開いた本のページ部（８）を書載板（２）に留めて書見するときの実施例であり、書載板（２）の丈が２６．５センチメートルあることから、A５判の教科書や学術書はもちろんのことB５判の（公序良俗違反につき、不掲載）や週刊誌などまでに利用できる。
【図面の簡単な説明】
【００２３】
【図１】一枚板の平面図
【図２】一枚板の底面図
【図３】一枚板の右側面図
【図４】一枚板を折り上げて畳んだときの右側面図
【図５】一枚板を折り上げて畳んだときの斜視図
【図６】組み立てた書見台の斜視図
【図７】組み立てた書見台の正面図
【図８】組み立てた書見台の右側面図
【図９】組み立てた書見台の背面図
【図１０】組み立てた書見台に文庫本を載せて左右に見開いた斜視図
【図１１】折畳まれた書見板の書見台への組立て方法についての説明斜視図
【符号の説明】
【００２４】
（１）一枚板
（２）書載板
（３）基板
（４）支持板
（５）切り欠き部
（６）書載台
（７）脚部
（８）本のページ部
（９）移動自在バインダー
（１０）一枚板の中央折り曲げ部
（１１）基板内の折り曲げ部
（１２）書載板内の折り曲げ部
（１３）書載台上の本の前滑り止め用突起部
（１４）書載板内の３辺の切断線
（１５）基板内の３辺の切断線
【図１】
0003166158.tif 000003
【図２】
0003166158.tif 000004
【図３】
0003166158.tif 000005
【図４】
0003166158.tif 000006
【図５】
0003166158.tif 000007
【図６】
0003166158.tif 000008
【図７】
0003166158.tif 000009
【図８】
0003166158.tif 000010
【図９】
0003166158.tif 000011
【図１０】
0003166158.tif 000012
【図１１】
0003166158.tif 000013
【手続補正書】
【提出日】平成22年12月16日(2010.12.16)
【手続補正１】
【補正対象書類名】明細書
【補正対象項目名】００２２
【補正方法】変更
【補正の内容】
【００２２】
図１０は、本考案書見台に文庫本を載せたときの斜視図で、書載板（２）の下方部に引出された書載台(６)の上に文庫本を載せ、そこで左右に見開いた本のページ部（８）が閉じられないように押さえるための用具である移動自在バインダー（９）を使って見開いた本のページ部（８）を書載板（２）に留めて書見するときの実施例であり、書載板（２）の丈が２６．５センチメートルあることから、A５判の教科書や学術書はもちろんのことB５判の週刊誌などまでに利用できる。